(57)【特許請求の範囲】
【請求項１】
筐体内に傾斜して配置された熱交換器と、この熱交換器の下端に配置された主ドレンパンと、前記熱交換器の傾斜面に沿って配置され前記傾斜面から滴下するドレンを回収して前記主ドレンパンに導く補助ドレンパンとを備え、この補助ドレンパンの受け部は分水位置を境にしてドレンを両側に振り分けて流下させる傾斜形状を有する空気調和機の室内ユニットにおいて、前記ドレンを排出するドレン排出口を室内ユニットの一端部に設け、前記受け部の前記分水位置を前記熱交換器の中央位置より前記ドレン排出口がある側と反対側に偏倚して設けたことを特徴とする空気調和機の室内ユニット。
【請求項２】
筐体内に傾斜して配置された熱交換器と、この熱交換器の下端に配置された主ドレンパンと、前記熱交換器の傾斜面に沿って配置され前記傾斜面から滴下するドレンを回収して前記主ドレンパンに導く補助ドレンパンとを備え、この補助ドレンパンの受け部は分水位置を境にしてドレンを両側の側流路に振り分けて流下させる傾斜形状を有する空気調和機の室内ユニットにおいて、前記ドレンを排出するドレン排出口を室内ユニットの一端部に設け、前記受け部の前記分水位置を前記熱交換器の中央位置より前記ドレン排出口がある側と反対側に偏倚して設け、両側の前記側流路の巾の比率を分水位置で仕切られる受け部の分割比率と略等しく設定したことを特徴とする空気調和機の室内ユニット。
【請求項３】
筐体内に傾斜して配置された熱交換器と、この熱交換器の下端に配置された主ドレンパンと、前記熱交換器の傾斜面に沿って配置され前記傾斜面から滴下するドレンを回収して前記主ドレンパンに導く補助ドレンパンとを備え、この補助ドレンパンの受け部は分水位置を境にしてドレンを両側に振り分けて流下させる傾斜形状を有する空気調和機の室内ユニットにおいて、前記ドレンを排出するドレン排出口を室内ユニットの一端部に設け、前記受け部の前記分水位置を前記熱交換器の中央位置より前記ドレン排出口がある側と反対側に偏倚して設け、前記熱交換器の中央位置より前記受け部の分水位置側に偏倚した位置に空気清浄フィルターを設けたことを特徴とする空気調和機の室内ユニット。
【発明の詳細な説明】
【０００１】
【発明の属する技術分野】
本発明は空気調和機の室内ユニットに係り、詳しくは熱交換器からのドレンを回収するドレンパンの改良に関する。
【０００２】
【従来の技術】
空気調和機の室内ユニットの筐体内には、送風機、熱交換器等が収納され、送風機にて室内の空気を本体内に取り込んで熱交換器にて熱交換を行う。この種の室内ユニットでは一般にコンパクト化が要求され、特に天井埋め込み型では高さ方向の寸法が制限されることが多い。そこで、熱交換器を斜めに傾斜させて設置することで高さ方向の寸法を短縮することが行われている。
【０００３】
運転中、熱交換器のフィンには大気中の水蒸気が結露し、それがドレンとなって下方に滴下し、滴下したドレンは熱交換器の下方に配設されたドレンパンに回収される。熱交換器を斜めに傾斜させた場合、傾斜角度が大きくなる程（水平に近づく程）熱交換器を鉛直方向に投影した面積が大きくなり、それに応じてドレンを受けるドレンパンの面積を拡大しなれければならない。一方で、広い面積のドレンパンは熱交換器に対する風の流路を遮り、通風抵抗となりうる。そこで、熱交換器の前面に対向するように樋状の複数の受け部を有する補助ドレンパンを設け、各受け部の間に形成された隙間を通って風が流通するように形成されている。
【０００４】
従来、樋状の補助ドレンパンの受け部は熱交換器の左右方向の中央部が最も高く、左右側端部に行くに従って漸次低くなるように傾斜が設けられ、補助ドレンパン受け部に滴下したドレンは落下位置に応じて左側端あるいは右側端に振り分けられて流下する。複数の受け部のドレンは左右それぞれの端部で補助ドレンパンの側流路に集められ、さらに下部流路を通って最終的には共通のドレン排出口からドレンホースを介して本体外部に排出される。
【０００５】
【発明が解決しようとする課題】
ドレンパンに集められたドレンは温度が低いので、ドレンが長い間ドレンパン内に滞留しているとドレンパン自体が冷却されてしまい、ドレンパンの外面側に結露が生じてしまうという問題がある。従って、熱交換器に発生したドレンはできるだけ速く外部に排出することが望ましい。
【０００６】
ところが、ドレン排出口は本体の左右いずれかの一端部に設けられているので、補助ドレンパンの樋状受け部の中央で左右に振り分けられたドレンのうち、ドレン排出口のある側と反対側に振り分けられたドレンは比較的長い流通経路を経てドレン排出口に至る。つまり、例えばドレン排出口が左側にある場合において、熱交換器の中央から右側の部分で発生したドレンは補助ドレンパンの受け部に滴下した後、ドレン排出口と反対側の右方側に流れて側流路に至り、下端にて折り返して下部流路内を右端から左方側に流れてドレン排出口に至る。
【０００７】
このような構成のものでは、室内ユニット内のドレンの流通経路が全体として長くなり、その結果ドレン排出口に至るまでにドレンは比較的長い間ドレンパン内に滞留することとなってしまう。
【０００８】
一方、上述の補助ドレンパンの受け部をドレン排出口のある側に全部のドレンを流すように一方向に傾斜させて、ドレンの排出のための流通経路を短縮することも考えられる。しかし、この場合は補助ドレンパンの受け部の両端での落差を大きくせざるを得ず、その分熱交換器に対する風の流路を斜めに遮ることとなり、補助ドレンパンによる通風抵抗が増大してしまう。
【０００９】
本発明は上述に鑑みて成されたものであり、ドレンパンによる通風抵抗を増大させることなく、ドレンの排出のための流通経路を短縮することを企図した空気調和機の室内ユニットを提供することを目的としている。
【００１０】
【課題を解決するための手段】
上述の目的を達成するための請求項１の発明は、筐体内に傾斜して配置された熱交換器と、この熱交換器の下端に配置された主ドレンパンと、前記熱交換器の傾斜面に沿って配置され前記傾斜面から滴下するドレンを回収して前記主ドレンパンに導く補助ドレンパンとを備え、この補助ドレンパンの受け部は分水位置を境にしてドレンを両側に振り分けて流下させる傾斜形状を有する空気調和機の室内ユニットにおいて、前記ドレンを排出するドレン排出口を室内ユニットの一端部に設け、前記受け部の前記分水位置を前記熱交換器の中央位置より前記ドレン排出口がある側と反対側に偏倚して設けたことを特徴とするものである。
【００１１】
この発明によれば、熱交換器から補助ドレンパンの受け部に滴下したドレンが分水位置を境に振り分けられるとき、分水位置がドレン排出口がある側と反対側に偏倚しているので、ドレン排出口側に多く振り分けられる。その結果、熱交換器からドレン排出口に至るドレンの流通経路が全体して短縮され、ドレンがドレンパン内に滞留する時間が短縮される。
【００１２】
請求項２の発明は、筐体内に傾斜して配置された熱交換器と、この熱交換器の下端に配置された主ドレンパンと、前記熱交換器の傾斜面に沿って配置され前記傾斜面から滴下するドレンを回収して前記主ドレンパンに導く補助ドレンパンとを備え、この補助ドレンパンの受け部は分水位置を境にしてドレンを両側の側流路に振り分けて流下させる傾斜形状を有する空気調和機の室内ユニットにおいて、前記ドレンを排出するドレン排出口を室内ユニットの一端部に設け、前記受け部の前記分水位置を前記熱交換器の中央位置より前記ドレン排出口がある側と反対側に偏倚して設け、両側の前記側流路の巾の比率を分水位置で仕切られる受け部の分割比率と略等しく設定したことを特徴とするものである。
【００１３】
この発明によれば、受け部の分水位置が中央から偏倚していることに起因して受け部から両側の側流に流れ込むドレンの量が異なることに対応し、側流路の巾を適正な大きさに設定することができ、側流路で滞留することなく素速くドレンを流し去ることが可能となる。
【００１４】
請求項３の発明は、筐体内に傾斜して配置された熱交換器と、この熱交換器の下端に配置された主ドレンパンと、前記熱交換器の傾斜面に沿って配置され前記傾斜面から滴下するドレンを回収して前記主ドレンパンに導く補助ドレンパンとを備え、この補助ドレンパンの受け部は分水位置を境にしてドレンを両側に振り分けて流下させる傾斜形状を有する空気調和機の室内ユニットにおいて、前記ドレンを排出するドレン排出口を室内ユニットの一端部に設け、前記受け部の前記分水位置を前記熱交換器の中央位置より前記ドレン排出口がある側と反対側に偏倚して設け、前記熱交換器の中央位置より前記受け部の分水位置側に偏倚した位置に空気清浄フィルターを設けたことを特徴とするものである。
【００１５】
この発明によれば、受け部による通風抵抗が大きい位置に空気清浄フィルターを重ねて設置することで、全体の通風抵抗が低減される。
【００１６】
【発明の実施の形態】
以下、本発明の一実施の形態を図面により説明する。
【００１７】
図１は空気調和機の縦断面図、図２は化粧パネルを外した状態の部分底面図、図３は補助ドレンパン及び空気清浄フィルターの底面図である。
【００１８】
本室内ユニット１１は、図示しない吊り金具によって天井空間に吊り下げて固定される天井埋め込み型の室内ユニットであり、図１に示すように筐体１２と化粧パネル１４とを有する。筐体１２は天井板１３の開口部に装着され、その化粧板１４が天井板１３とほぼ同一の平面を構成する。化粧板１４は筐体１２に対して取り外し自在に設けられており、この化粧板１４を取り外すと筐体１２の内部が室内側に露出される。
【００１９】
筐体１２内には、送風装置であるクロスフローファン１５、熱交換器１６、運転を制御する電装箱（図示せず）等が収納されている。この室内ユニット１１はいわゆる一方向型の室内ユニットであり、図１に実線矢印で示すように、吸込口１７から吸入された室内の空気は、クロスフローファン１５により、熱交換器１６に送られて、そこで熱交換された後、吹出口１８から室内に吹き出される。熱交換器１６には、図２に示すように、冷媒管１９、２０が接続されており、図示しない室外機から熱交換器１６に対して冷媒が導出入される。
【００２０】
熱交換器１６は吸込側が斜め下方に面するように傾斜される。熱交換器１６の吸込面（一次側）の下方には吸込面に向かい合うように補助ドレンパン２１が設けられ、熱交換器１６の下縁部の下方には主ドレンパン２２が配設されている。
【００２１】
主ドレンパン２２は図１に示すように、補助ドレンパン２１の下端部に接続され、熱交換器１６の下部で生じたドレン及び補助ドレンパン２１によって運ばれるドレンを収容する。主ドレンパン２２は熱交換器１６の左右方向に延在し、図２において左側が低くなるように傾斜している。
【００２２】
主ドレンパン２２の左端にはドレン溜２３が形成され、そこにドレンポンプ２４が配設される。ドレンポンプ２４はドレン溜２３に溜まったドレンを吸引してドレン排出口２５に送り出し、ドレンはそこからドレンホースを介して筐体１２の外部に排出される。
【００２３】
図２、図３に示すように、補助ドレンパン２１は概して方形の平面形状を有し、熱交換器１６の吸込面に対向する部分には、水平方向に延びる複数の樋状の受け部２６が形成されている。補助ドレンパン２１の左右の両側部には受け部２６に繋がる側流路２７、２８がそれぞれ形成され、下縁には流下部２９が形成される。
【００２４】
複数の受け部２６は、図１及び図３中の断面図に示すように、熱交換器１６の吸込面の下方を全域に亘ってカバーするように配設され、熱交換器１６から滴下するドレン（図１中、破線矢印で表示）をもれなく受けることができるように形成されている。隣り合う受け部２６の間の隙間は熱交換器１６への吸込空気の通路を構成する。この樋状の受け部２６はほぼＶ字状に形成され、熱交換器１６に吸込まれる風の流路を遮ることを極力避け、通風抵抗の低減が図られている。
【００２５】
図４は補助ドレンパンの傾斜を表す模式図である。図４に示すように、補助ドレンパン２１の受け部２６は、熱交換器１６の吸込面部に設置したときに、熱交換器１６の左右方向の中央部（一点鎖線３０で示す）より少し右側（ドレン排出口２５がある側と反対側）に偏倚した位置（一点鎖線３１で示す）が最も高く、左右側端部側に行くに従って漸次低くなるように傾斜が設けられ、左右の端部でそれぞれ側流路２７、２８に連続するようになっている。いま、受け部２６におけるこの最も高い位置を分水位置と呼ぶ。
【００２６】
ここで本例では、分水位置で仕切られる受け部２６のうち、左側の長さＡ’を２６０ｍｍ、右側の長さＢ’を１６６ｍｍとし、Ａ’とＢ’の比率が６０対４０となるように形成している。従って、熱交換器１６から一様にドレンが受け部２６に滴下した場合、ドレンは分水位置を境にして両側に振り分けられてその６０％は左側の側流路２７に流れ、４０％が右側の側流路２８に流れ込む。
【００２７】
これに対応して、左側の側流路２７の巾Ａを４３ｍｍ、右側の側流路２８の巾Ｂを３０ｍｍとし、Ａ／（Ａ＋Ｂ）＝Ａ’／（Ａ’＋Ｂ’）＝０．６、つまりＡとＢとの分割比率をＡ’とＢ’との分割比率に略等しくなるようにしている。
【００２８】
また、補助ドレンパン２１の下縁の流下部２９は主ドレンパン２２に接続され、流下部２９に滴下したドレンはその下方に位置する主ドレンパン２２に直接流れ落ちるようになっている。
【００２９】
一方、図１、図３に示すように、補助ドレンパン２１には空気清浄フィルター３２が着脱自在に取り付けられる。すなわち、補助ドレンパン２１の受け部２６の表面に一対のフィルター取付枠３３が所定の間隔を開けて固定され、フィルター取付枠３３に対して下方から空気清浄フィルター３２を差し込むことで空気清浄フィルター３２は補助ドレンパン２１に取り付けられる。
【００３０】
空気清浄フィルター３２は脱臭フィルターと集塵フィルターとを積層してなり、室内ユニット１１を循環する室内の空気中から微細な塵や花粉等の異物及び臭いを除去する働きをする。
【００３１】
ここで図３に示すように、空気清浄フィルター３２は、その左右方向の中心が熱交換器１６の左右方向の中央位置より少し右側（分水位置側）に偏倚した位置（一点鎖線３４で示す位置）に位置決めされている。
【００３２】
このような構成において、熱交換器１６に発生したドレンは補助ドレンパン２１及び主ドレンパン２２上に滴下する。いま、補助ドレンパン２１の受け部２６に滴下したドレンのうち、分水位置より左側に落下したドレンは左方向に流れ落ち、左側の側流路２７を経てドレン排出口２５の近傍の主ドレンパン２２からドレン溜２３に入る。
【００３３】
一方、分水位置より右側に滴下したドレンは右方向に流れ落ち、右側の側流路２８を経てドレン排出口２５から最も離れた位置の主ドレンパン２２に入り、主ドレンパン２２を端から左方向に移動してドレン溜２３に入る。
【００３４】
ここで、分水位置より右側に滴下したドレンは当初ドレン排出口２５と反対側に流れることとなるので比較的長い流通経路を経てドレン排出口２５に至るが、分水位置が中央から偏倚しているのでその量は全体の半分未満（本例では４０％以下）である。従って、分水位置が中央にある場合と比べてドレン全体としてはドレン排出口２５に至る流通経路が短縮されることとなり、ドレンがドレンパン内に滞留する時間が短縮される。
【００３５】
また、受け部２６の分水位置が中央から偏倚しているので、受け部２６から側流路２７、２８に流れ込むドレンの量は左右で異なり、ドレン排出口２５に近い左側の側流路２７の方が右側の側流路２８よりも多くのドレンが流れることとなる。ここでは、それぞれの流量に応じて、左側の側流路２７の巾を右側の側流路２８に比べて大きくしているので、側流路２７、２８でドレンが滞留することがなく、素速くドレンが流される。
【００３６】
さらに、空気清浄フィルター３２を補助ドレンパン２１の受け部２６に熱交換器１６の左右方向の中央部より少し分水位置側にずらして取り付けることにより、受け部２６と合わせた通風抵抗を全体として低減することが可能となる。すなわち、受け部２６はその分水位置近傍が熱交換器１６に対する空気の流れの最も大きな抵抗となっている。一方で空気清浄フィルター３２もそれ自体で通風抵抗となるが、受け部２６による通風抵抗が大きい位置に空気清浄フィルター３２を重ねて設置することで、全体の通風抵抗が低減される。
【００３７】
以上、本発明の具体的な実施形態について説明したが、本発明は上述した実施形態に限定されるものではなく、本発明の要旨を逸脱しない範囲で種々の変形が可能である。
【００３８】
例えば、上述の例では受け部２６を分水位置で６：４に分割しているが、本発明はこの分割比率に限定されるものではない。受け部２６ではドレンを流下させるに必要な傾斜角度を確保する必要があるが、この必要な傾斜角度を確保できる範囲であれば分水位置を任意に偏倚させることができる。
【００３９】
また実施形態では、一方向型の室内ユニットを示しているが、これに限らず例えば二方向型の室内ユニットに対しても本発明は適用できる。
【００４０】
【発明の効果】
以上述べたように本発明によれば、受け部の分水位置を熱交換器の中央位置よりドレン排出口がある側と反対側に偏倚させるようにしたので、熱交換器から補助ドレンパンの受け部に滴下したドレンはドレン排出口側に多く振り分けられ、その結果通風抵抗を増大させることなく、ドレンの排出のための流通経路を短縮して素速くドレンを外部に排出することができる。
【図面の簡単な説明】
【図１】本発明の一実施形態にかかる室内ユニットの縦断面図である。
【図２】図１の室内ユニットの化粧板を外した状態の部分底面図である。
【図３】図１の補助ドレンパン及び空気清浄フィルターの底面図である。
【図４】図１の補助ドレンパンの傾斜を表す模式図である。
【符号の説明】
１１  室内ユニット
１２  筐体
１３  天井板
１４  化粧板
１５  クロスフローファン
１６  熱交換器
１７  吸込口
１８  吹出口
１９、２０  冷媒管
２１  補助ドレンパン
２２  主ドレンパン
２３  ドレン溜
２４  ドレンポンプ
２５  ドレン排出口
２６  受け部
２７、２８  側流路
２９  流下部
３０  熱交換器の中央線
３１  分水位置線
３２  空気清浄フィルター
３３  フィルター取付枠
３４  空気清浄フィルターの取付中心線
【図１】
0003717612.tif 000002
【図２】
0003717612.tif 000003
【図３】
0003717612.tif 000004
【図４】
0003717612.tif 000005